(57)【特許請求の範囲】
【請求項１】
本体ケーシング（２）の前面パネル（３）に表示窓を設けると共に、この表示窓を閉鎖するように透明な保護板（５）を取付け、その背部の位置に表示デバイス（６）を上記表示窓に臨ませて配置した情報表示器において、上記前面パネル（３）が上記本体ケーシング（２）に対して回動可能に設けられると共に、上記表示デバイス（６）は取付板（９）に取付けられ、さらに上記取付板（９）は上記前面パネル（３）に回動可能に設けられており、この取付板（９）の上記前面パネル（３）に対する回動軸は、上記前面パネル（３）の上記本体ケーシング（２）に対する回動軸よりも上記前面パネル（３）の回転自由端側に位置されていることを特徴とする情報表示器。
【発明の詳細な説明】
【０００１】
【発明の属する技術分野】
この発明は、情報を表示する表示デバイスを有する情報表示器に関するものである。
【０００２】
【従来の技術】
図２は、本発明の一実施の形態である情報表示器１の外観を示す概略斜視図であるが、基本的構成は同一であるので、図２を参照しながら情報表示器の従来の全体的な構成を説明する。図２において、２は本体ケーシング、３は上記本体ケーシング２の前面パネルであり、この前面パネル３には正面視略長方形の表示窓が設けられている。そして、この表示窓を閉鎖するように透明な保護用アクリル板５が上記前面パネル３の裏面側に取付けられている。
【０００３】
図５は上記従来の情報表示器１を側面側から見た一部断面図であり、図６は上記前面パネル３を裏面側から見た概略図である。図５に示すように、上記アクリル板５の背部の位置には、外部から入力された情報を表示する機能を有する表示デバイス１６が上記表示窓に臨むように配置されている。具体的には、複数個の表示デバイス１６・１６を縦横に配列し、これら表示デバイス１６・１６の前側端面を角穴が形成された略長方形の取付板１９に取り付けることによって、上記情報表示器１の表示面を形成している。そして、図６に示すように、上記アクリル板５が取付けられた前面パネル３の裏面側に上記取付板１９を配置し、取付板１９の周縁部を複数個のネジ１８・１８で前面パネル３に固定することによって、上記前面パネル３に取付板１９を取付けている。
【０００４】
【発明が解決しようとする課題】
ところで、上記情報表示器１を一定期間使用していると、上記表示デバイス１６・１６が取付けられた取付板１９とアクリル板５との間に埃が侵入し、その表面が汚れてくるため、上記取付板１９とアクリル板５との間の清掃を行う等のメンテナンス作業が必要となる。ここで、上記メンテナンス作業を行うためには、上記取付板１９を前面パネル３から取外して、取付板１９とアクリル板５とを分離しなければならないが、上記に示したような構造を有する情報表示器１では、取付板１９を前面パネル３から取外すのに大変な手数を要するという問題がある。すなわち、上記取付板１９には複数の表示デバイス１６・１６が取付けられているため、まず各表示デバイス１６・１６に取付けられた配線を外し、その後、取付板１９と前面パネル３とを取り付けているネジ１８・１８を外して分離するという作業を行わなければならない。この結果、取付板１９の取外し、及び取付け等に多大な時間を要するということに加えて、配線の再接続ミスが生じ易いという問題がある。また上記情報表示器１が高所に設置してある場合には、脚立等に登って上記作業を行わなければならないが、この際、取付板１９等の取外し部品を置くために脚立の登り下りを行ったり、上記部品置場を確保する必要があるという問題も生じる。さらに、上記情報表示器１の表示面が大きい場合は、表示デバイス１６を取付けている取付板１９も大きくなるため、一人での作業は困難となり、作業人数を増やす必要がある等の問題もある。
【０００５】
この発明は上記従来の欠点を解決するためになされたものであって、その目的は、メンテナンス作業を容易に行うことが可能な情報表示器を提供することにある。
【０００６】
【課題を解決するための手段】
そこで請求項１の情報表示器は、本体ケーシング２の前面パネル３に表示窓を設けると共に、この表示窓を閉鎖するように透明な保護板５を取付け、その背部の位置に表示デバイス６を上記表示窓に臨ませて配置した情報表示器において、上記前面パネル３が上記本体ケーシング２に対して回動可能に設けられると共に、上記表示デバイス６は取付板９に取付けられ、さらに上記取付板９は上記前面パネル３に回動可能に設けられており、この取付板９の上記前面パネル３に対する回動軸は、上記前面パネル３の上記本体ケーシング２に対する回動軸よりも上記前面パネル３の回転自由端側に位置されていることを特徴としている。
【００１０】
上記請求項１の情報表示器によれば、上記表示デバイス６は取付板９に取付けられているとともに、この取付板９は前面パネル３に回動可能に設けられている。この結果、上記取付板９を回動させることによって、上記前面パネル３と表示デバイス６とを完全に分離しなくても、前面パネル３と表示デバイス６との間に一定のスペースを確保することができる。このため、表示デバイス６とアクリル板５との間の清掃等のメンテナンス作業が容易になると共に、上記作業時間を短縮することもできる。
【００１１】
【発明の実施の形態】
次にこの発明の情報表示器の具体的な実施の形態について、図面を参照しつつ詳細に説明する。図２は、本発明の一実施の形態である情報表示器を示す概略図である。図２において、２は本体ケーシング、３は上記本体ケーシング２の前面パネルであり、この実施形態においては、上記前面パネル３の上端側が本体ケーシング２の上端側に回動可能に取付けられている。また上記前面パネル３には正面視略長方形の表示窓が設けられており、この表示窓を閉鎖するように透明な保護用アクリル板（保護板）５が上記前面パネル３の裏面側に取付けられている。
【００１２】
図１は上記情報表示器１の前面パネル３を裏面側から見た概略図であり、図３及び図４は上記情報表示器１を側面側から見た一部断面図である。図に示すように、上記前面パネル３に取付けられたアクリル板５の背部の位置には、外部から入力された情報を表示する機能を有する表示デバイス６が、上記表示窓に臨むように配置されている。具体的には、複数個の表示デバイス６・６を縦横に配列し、これら表示デバイス６・６の前側端面を、略長方形の取付板９上に固定ネジ１０・１０を用いて取付けることによって表示面を形成している。そして、この取付板９の表示面と上記アクリル板５の裏面側とが向かい合うように配置し、複数個の蝶番７、７とローレットネジ８・８とを用いて、上記取付板９の周縁部を前面パネル３の裏面側に取付けることによって、上記取付板９を固定している。詳細に言えば、上記取付板９の上端部の左右２ヵ所に略Ｌ字状に折曲可能な蝶番７、７の一端をそれぞれ取付け、さらに上記蝶番７、７の他端を前面パネル３の裏面上部側に取付けることによって、上記取付板９がその上端部を軸として、前面パネル３に対して回動可能に開閉できるように構成されている（図４参照）。そして、上記蝶番７、７が取付けられた取付板９の上端部以外の周囲部分に設けた保持部１１を、ローレットネジ８・８で前面パネル３に固定することによって、上記前面パネル３に取付板９を取付けている（図１参照）。
【００１３】
次に、上記アクリル板５と取付板９との間の清掃等のメンテナンス作業方法について説明する。まず図３に示すように、上記前面パネル３を回動して上方に開き、この状態で上記取付板９を固定している周囲のローレットネジ８・８を取外す。すると上記取付板９の上端部が蝶番７、７によって前面パネル３に連結されたまま、その他の部分が前面パネル３から離反され、アクリル板５と取付板９との間に一定のスペースが確保される（図４参照）。これより、このスペースを利用して、上記アクリル板５と取付板９との間の清掃等のメンテナンス作業が行われる。そして上記作業完了後、取付板９の離反部分を再びローレットネジ８・８を用いて前面パネル３の裏面側に固定し、前面パネル３を閉じることによって上記メンテナンス作業を終了することができる。
【００１４】
以上のように、表示デバイス６・６が取付けられた取付板９の上端部を、蝶番７、７を用いて前面パネル３に回動可能に取付けたことによって、前面パネル３や取付板９を完全に分離しなくても、取付板９を回動させるだけで前面パネル３と取付板９との間に一定のスペースを確保することができる。この結果、上記取付板９とアクリル板５との間の清掃等のメンテナンス作業が容易になると共に、上記作業時間を短縮することもできる。また上記メンテナンス作業時において、各表示デバイス６・６に接続された配線を取外す必要がないため、配線の再接続ミスを防止することができる。さらに、取付板９の上端部が前面パネル３に連結されているため、大型の情報表示器であっても一人で上記作業を行うことが可能となる他、取外し部品はローレットネジ８・８のみであるため、情報表示器が高所に設置されている場合であっても、取外し部品を置くための脚立の登り下りや、上記部品置場の確保が不要となる。また上記前面パネル３と取付板９との間に一定のスペースを確保することができるため、内部部品のメンテナンスも容易に行うことができる。
【００１５】
以上にこの発明の情報表示器の実施の形態について説明をしたが、この発明は上記実施の形態に限られるものではなく、種々変更して実施することが可能である。すなわち上記実施形態では、上記蝶番７、７を取付板９の上端部に２個設けたが、取付板９の大きさや形等に合わせて１個、又は複数個設けてもよいし、上記蝶番７、７を取付ける位置も上端部以外の位置、例えば左右いずれかの側部に取付けても構わない。さらに取付板９が回動可能に設けられていれば、蝶番７以外のものを用いてもよい。また上記実施形態では、前面パネル３の裏面側に取付板９を固定する際にローレットネジ８・８を用いたが、取付板９と前面パネル３とが係合して保持、固定されるものであれば、ネジ以外のものを用いてもよい。
【００１６】
【発明の効果】
以上のように請求項１の情報表示器によれば、上記取付板を回動させることによって、上記前面パネルと表示デバイスとを完全に分離しなくても、前面パネルと表示デバイスとの間に一定のスペースを確保することができる。このため、表示デバイスとアクリル板との間の清掃等のメンテナンス作業が容易になると共に、上記作業時間を短縮することもできる。
【図面の簡単な説明】
【図１】本発明の一実施の形態である情報表示器の前面パネルを裏面側からみた概略図である。
【図２】上記情報表示器の外観を示す概略斜視図である。
【図３】上記情報表示器を側面側から見た一部断面図である。
【図４】上記情報表示器を側面側から見た一部断面図である。
【図５】従来の情報表示器を側面側から見た一部断面図である。
【図６】従来の情報表示器の前面パネルを裏面側から見た概略図である。
【符号の説明】
１  情報表示器
２  本体ケーシング
３  前面パネル
５  アクリル板
６  表示デバイス
７  蝶番
８  ローレットネジ
９  取付板
１０  固定ネジ
１１  保持部
【図１】
0004735909.tif 000002
【図２】
0004735909.tif 000003
【図３】
0004735909.tif 000004
【図４】
0004735909.tif 000005
【図５】
0004735909.tif 000006
【図６】
0004735909.tif 000007